(57)【特許請求の範囲】
【請求項１】
末広がりで筒状の嵌合部及び当該嵌合部からさらに拡がるように延設された複数本の線条体を有する外側穂先部を有する合成樹脂製の外筒体と、把持部から延設されて形成されるとともに外周面に前記嵌合部が嵌入して支持される支持部及び当該支持部から延設された複数本の線条体を有する内側穂先部を有する合成樹脂製の内筒体とを備え、前記内側穂先部は、軸方向又は軸方向と直交する方向の力に対して外側穂先部よりも変形しにくくなるように設定されている茶筅。
【請求項２】
前記内側穂先部の線条体は、少なくとも根元部分及び中間部分が前記外側穂先部の線条体よりも太く形成されている請求項１に記載の茶筅。
【発明の詳細な説明】
【技術分野】
【０００１】
本発明は、合成樹脂材料からなる茶道用の茶筅に関する。
【背景技術】
【０００２】
従来より、茶道では、抹茶をたてる場合、茶碗に抹茶の粉末を入れて湯を注ぎ、茶筅で撹拌して泡立てることが行われている。茶筅としては、竹筒の一方の側を細かく割って穂状に形成したものが用いられているが、竹筒には、油抜きや乾燥といった長期間の処理をしたものが必要となる。また、竹筒を内外の二重の穂状に形成するための製作工程は複雑で、熟練した職人による技術が必要となり、製作された竹製の茶筅は高価なものとならざるを得ない。また、茶筅を長年使用していると、撹拌の際に細かく割った穂先が折れることがあり、折れた穂先が抹茶に混入するおそれがある。
【０００３】
そのため、茶筅を合成樹脂材料により製作することが提案されている。例えば、特許文献１では、外側茶筅と内側茶筅とを成形して外側茶筅内に内側茶筅を嵌め込んで作成したプラスチック製の茶筅が記載されている。また、特許文献２では、外部茶筅部を形成した付根筒及び内部茶筅部を形成した付根筒を外筒に嵌合して作成した合成樹脂製の茶筅が記載されている。
【先行技術文献】
【特許文献】
【０００４】
【特許文献１】実公昭４５−２０６９５号公報
【特許文献２】実公昭５１−２９２５３号公報
【発明の概要】
【発明が解決しようとする課題】
【０００５】
特許文献１及び３では、穂先を合成樹脂材料により形成することで、穂先が折れるといったことが防止することができるが、合成樹脂材料で形成した穂先がブラシのように細い線条体である場合には、抹茶の撹拌の際に穂先が潰れて十分な撹拌を行うことができない。また、穂先が潰れないようにある程度強度を持たせた場合には、穂先の柔軟性が低下して、茶碗内で撹拌する際の茶筅の移動範囲が狭くなって撹拌を十分に行うことができない、といった課題がある。
【０００６】
そこで、本発明は、竹製の茶筅と同様に撹拌動作を行うことができる茶筅を提供することを目的とするものである。
【課題を解決するための手段】
【０００７】
本発明に係る茶筅は、末広がりで筒状の嵌合部及び当該嵌合部からさらに拡がるように延設された複数本の線条体を有する外側穂先部を有する合成樹脂製の外筒体と、把持部から延設されて形成されるとともに外周面に前記嵌合部が嵌入して支持される支持部及び当該支持部から延設された複数本の線条体を有する内側穂先部を有する合成樹脂製の内筒体とを備え、前記内側穂先部は、軸方向又は軸方向と直交する方向の力に対して外側穂先部よりも変形しにくくなるように設定されている。さらに、前記内側穂先部の線条体は、少なくとも根元部分及び中間部分が前記外側穂先部の線条体よりも太く形成されている。
【発明の効果】
【０００８】
本発明は、上記のような構成を有することで、内側穂先部を軸方向又は軸方向と直交する方向の力に対して外側穂先部よりも変形しにくく設定することで、効率よく泡立てて点茶を行うことが可能となり、竹製の茶筅と同様に撹拌動作を安定して行うことができる。
【図面の簡単な説明】
【０００９】
【図１】本発明に係る茶筅に関する正面図である。
【図２】外筒体に関する平面図、正面図及び底面図である。
【図３】内筒体に関する正面図、並びに、内筒体を構成する分割体の側面図、背面図、底面図及び平面図である。
【図４】茶筅を使用して抹茶の撹拌する様子を示す説明図である。
【発明を実施するための形態】
【００１０】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１１】
図１は、本発明に係る茶筅に関する正面図である。茶筅１は、合成樹脂製の外筒体２及び内筒体３からなり、外筒体２は、末広がりで筒状の嵌合部２ａ及び嵌合部２ａからさらに拡がるように延設された複数本の線条体を有する外側穂先部２ｂを備えている。内筒体３は、略円筒状の把持部３ａ、把持部３ａから延設されて形成されるとともに外周面に嵌合部２ａが嵌入して支持される支持部３ｂ、及び、支持部３ｂから延設された複数本の線条体を有する内側穂先部３ｃを備えている。この例では、内筒体３は、製造を容易に行うため、軸方向に半分に分割可能に形成されており、同形状の一対の分割体を組み合わせることで構成されている。
【００１２】
外筒体２は、内筒体３に対して軸方向に着脱可能に取り付けられており、茶筅１を洗浄する際に外筒体２を内筒体３から取り外すことで、外筒体２の内側及び外側を隅々まで綺麗に洗うことができ、内筒体３についても分割体を分離して全体を綺麗に洗うことができる。そのため、茶筅１を常時清浄な状態で長期間にわたって使用することが可能となる。なお、内筒体３に外筒体２を一体的に取り付けて固定することもできる。また、外側穂先部２ｂ及び内側穂先部３ｃを構成する線条体は周方向に隙間を開けて配列されているため、容易に洗浄することができる。
【００１３】
外筒体２及び内筒体３は、合成樹脂材料により成形されており、合成樹脂材料としては、食器や台所用品に使用されているものであれば用いることができる。また、外筒体２を内筒体３と異なる種類の材料を用いることも可能で、例えば、外筒体２に内筒体３よりも柔軟性を有する材料を用いることもできる。また、外側穂先部２ｂ及び内側穂先部３ｃが合成樹脂材料で成形されているので、茶碗の内面を摺動する際に茶碗を傷付けることがなく、長期間の使用による折損も防止することができる。
【００１４】
図２は、外筒体２に関する平面図（図２（ａ））、正面図（図２（ｂ））及び底面図（図２（ｃ））である。外筒体２は、軸方向と直交する方向の断面が円形に形成されており、外筒体２の嵌合部２ａには、内筒体２ｂに嵌合する円形の開口２０が形成されている。そして、開口２０では、肉厚に形成されており、開口２０から外側穂先部２ｂの先端に行くにしたがい厚さが薄くなるように形成されている。外側穂先部２ｂは、先端から軸方向に複数の切れ目が形成されて、切れ目の間に細幅の複数の線条体２１が周方向に配列するように形成されている。線状体２１は、嵌合部２ａから外方にむかって拡がり先端部分では内方に向かってすぼむように形成されている。線条体２１は、嵌合部２ａに接続された根元部分から先端にいくにしたがい細幅となるようにテーパ状に形成されており、線条体２１の先端は円形となるように配列されている。
【００１５】
図３は、内筒体３に関する正面図（図３（ａ））、並びに、内筒体３を構成する分割体の側面図（図３（ｂ））、背面図（図３（ｃ））、底面図（図３（ｄ））及び平面図（図３（ｅ））である。内筒体３の把持部３ａは竹様に成形されており、節部分３０が外方に膨出成形されている。節部分３０に対応して内部には仕切り壁が形成されており、把持部３ａの強度を高めるようになっている。支持部３ｂは、把持部３ａよりも小径に形成されており、把持部３ａとの接続部分が外方に突出してフランジ状のストッパ部分３２を形成している。支持部３ｂの外周面には、軸方向に複数の突条部分３１が形成されており、外筒体２の開口２０が支持部３ｂに嵌め込まれた場合に開口２０の内周面が突条部分３１に圧接されて係止されるようになる。そして、開口２０がストッパ部分３２に突き当たるまで外筒体２を嵌入することで、外筒体２を内筒体３に対してがたつくことなくしっかりと取り付けることができる。
【００１６】
内側穂先部３ｃには、支持部３ｂから軸方向に向かって複数本の線条体３３が周方向に配列するように形成されている。線条体３３は、外方に向かって湾曲するように形成されており、先端が内方に向かってすぼむように形成されている。そして、線条体３３は、支持部３ｂに接続された根元部分から先端にいくにしたがい細幅となるようにテーパ状に形成されており、先端は円形となるように配列されている。線条体３３は、少なくとも根元部分から中間部分にかけて線条体２１よりも幅広に形成されており、軸方向又は軸方向と直交する方向の力に対する強度が高められて線条体２１よりも変形しにくくなっている。この例では、線条体３３の先端部分は、線条体２１とほぼ同じように細幅に形成されて、軸方向の力に対して変形しやすく柔軟性を有している。なお、線条体３３の先端部分を線条体２１よりも幅広に形成することもできる。
【００１７】
この例では、線条体３３の強度を高めるために幅広に形成して太くしているが、肉厚にして太くすることで強度を高めることもできる。このように、線条体３３の少なくとも根元部分及び中間部分を線条体２１よりも太く形成することで、内側穂先部３ｃを外側穂先部２ｂよりも全体として軸方向又は軸方向と直交する方向の力に対して変形しにくくすることができる。なお、内側穂先部３ｃを外側穂先部２ｂよりも変形しにくくするためには、例えば、線条体３３の素材を線条体２１の素材よりも高強度のものを用いたり、線条体３３の断面形状をＴ字形状や＋形状にして外側穂先部２ｂよりも変形しにくくすることも可能である。
【００１８】
分割体の接合面には、把持部３ａ及び支持部３ｂに対応する部分に、一方の側に複数の接合用突起３４が突設されており、他方の側に接合用突起３４が挿入される接合用穴３５が形成されている。そして、分割体の互いの接合面を合わせて、互いの接合用突起３４を互いの接合用穴に挿入して組み合わせることで、ずれのない状態で内筒体３を構成することができる。
【００１９】
図４は、茶筅１を使用して抹茶の撹拌する様子を示す説明図である。まず、茶筅１は、抹茶及び湯が投入された茶碗Ｔ内の底面にほぼ直立するように設定される（図４（ａ））。この場合、外側穂先部２ｂ及び内側穂先部３ｃの先端が茶碗Ｔ内の底面に接触した状態となるが、内側穂先部３ｃは、底面に押し付けるような軸方向の力に対して十分な強度を備えているので、茶筅１を安定した状態で直立させることができる。その際に、外側穂先部２ｂの先端は、図１に示すように、内側穂先部３ｃよりもわずかに短く設定されているため、茶筅１は主に内側穂先部３ｃに支えられて外側穂先部２ｂが底面に押し付けられることはない。
【００２０】
次に、茶筅１を茶碗Ｔ内の底面に沿って移動させて側壁面に当接した場合（図４（ｂ））、湯の中を外側穂先部２ｂ及び内側穂先部３ｃの線条体が移動して撹拌が行われる。その際に、内側穂先部３ｃが主に底面に接触して移動するため、外側穂先部２ｂの線条体が大きく変形することなく移動して、線条体の隙間を湯が流れて満遍なく撹拌動作が行われる。そして、側壁面に当接すると、外側穂先部２ｂは、内側穂先部３ｃに比べて柔軟性を有しているため、側壁面に押し付けられて内側穂先部３ｃに向かって近接するように変形する。そのため、茶筅１は、内側穂先部３ｃが茶碗Ｔ内を側壁面に近接した位置まで移動させることができる。茶筅１が側壁面に当接した後逆方向に移動させた場合（図４（ｃ））、外側穂先部２ｂは元の形状に戻り、線条体の間に湯が流れて撹拌動作が行われる。そして、反対側の側壁面に当接すると、外側穂先部２ｂが内側穂先部３ｃに近接するように変形して、内側穂先部３ｃが側壁面に近接した位置まで移動させることができる。
【００２１】
このように、茶筅１を茶碗Ｔ内で往復移動させて撹拌動作を行う場合、外側穂先部２ｂの変形により茶筅１の移動範囲を広くすることができるとともに内側穂先部３ｃが安定した状態で底面に直立させることができる。したがって、内側穂先部３ｃを軸方向又は軸方向と直交する方向の力に対して外側穂先部２ｂよりも変形しにくく設定することで、効率よく泡立てて点茶を行うことが可能となり、竹製の茶筅と同様に撹拌動作を安定して行うことができる。
【符号の説明】
【００２２】
１・・・茶筅、２・・・外筒体、２ａ・・・嵌合部、２ｂ・・・外側穂先部、３・・・内筒体、３ａ・・・把持部、３ｂ・・・支持部、３ｃ・・・内側穂先部、２０・・・開口、２１・・・線条体、３０・・・節部分、３１・・・突条部分、３２・・・ストッパ部分、３３・・・線条体、３４・・・接合用突起、３５・・・接合用穴
【図１】
0006045514.tif 000002
【図２】
0006045514.tif 000003
【図３】
0006045514.tif 000004
【図４】
0006045514.tif 000005